(57)【要約】【課題】マンホール蓋受枠の撤去が簡単かつ迅速におこなえ、調整リングの再利用を可能にすると共に雨水のマンホールへの浸入を防止する。【解決手段】マンホール斜壁３上に比較的厚い発泡樹脂リング１０を設置し、その上にコンクリート製の調整リング４を舗装厚に合わせて所要の枚数を設置する。更にその上に高さ微調整用の薄い発泡樹脂リング１１を設置し、舗装路面５とマンホール蓋受枠６が同一面となるように微調整して固定し、調整リング４と発泡樹脂リング１０、１１の外周を止水テープ７で包囲し、高さ調整部材間の間隙を止水する。【選択図】図１
2006112075.tif 000002
【特許請求の範囲】
【請求項１】
弾性材からなるリングがマンホール蓋受枠の下側に設置してあり、高さ調整部材の外周に止水手段が施してあるマンホール。
【請求項２】
請求項１において、止水手段が止水テープであるマンホール。
【請求項３】
請求項１において、止水手段がシリコーンコーキングであるマンホール。
【請求項４】
請求項１において、止水手段が膨潤性塗料であるマンホール。
【請求項５】
請求項４において、膨潤性塗料をひも状またはテープに形成したものが止水手段であるマンホール。
【請求項６】
リングの少なくとも一面に止水層が設けてある発泡樹脂製高さ調整リング。
【請求項７】
マンホール蓋受枠の高さを調整して舗装路面と一致させた後、マンホール蓋受枠及び高さ調整部材の外周に止水を施すマンホール設置方法。
【発明の詳細な説明】
【技術分野】
【０００１】
本発明は、舗装路面とマンホール蓋面を合致させるマンホール蓋高を調整するマンホール設置方法と方法によって構築したマンホールに関する。
【背景技術】
【０００２】
舗装路面の沈下によってマンホールの蓋面が路面から突出したり、また、逆に陥没していると、道路上を走行する自動車に対して衝撃を与える障害物となるため、マンホール蓋受枠を舗装路面と同一面となるように正確に合わせて設置しなければならない。
【０００３】
従来、図４に示すように、マンホール斜壁３に設置するマンホール蓋受枠６の大まかな高さ調整（大調整）は、適宜厚さのコンクリート製または合成樹脂製の調整リング４でおこない、最終的な微調整は、流動モルタル４１、若しくは、薄鉄板製の調整板によっておこない、路面５とマンホール鉄蓋６１が同一面となるようにしている。
【０００４】
道路の新設においては、路盤の締固めを入念におこなっても、道路を交通開放して使用している間に通過車両の重量や、衝撃によって路盤が沈下することが避けられず、マンホール蓋が路面から突出した状態となる。そのため、交通開放してから一定期間後、例えば半年後にはマンホールの蓋高調整をおこなわなければ円滑な交通を維持できなくなる。
【０００５】
このことは、通過車両の重量を舗装路盤の転圧に利用しているともいえ、当初の舗装は６ヶ月程度の仮舗装とみなせ、車両重量によって路盤を落ち着つかせてからの舗装が本舗装となるともいえるものである。
【０００６】
本舗装時の際は、当初設置したマンホール蓋受枠が舗装工事の障害となり、大型機械を使用した転圧ができないため、マンホール周辺の舗装の転圧が不十分となることから、特許文献１〜３（特許第２６２３４９０号、特許第２６２３４９１号、及び特許第２６２３４９２号）に示されるように、マンホール蓋受枠を予め撤去して仮蓋等でマンホール開口を閉塞して効率的に舗装をおこなうことが提案された。
【０００７】
一方、舗装完成後にマンホール蓋受枠を設置すると、その周囲には舗装材料とは異なる材料を充填することになるため、異質の材料の接合部が存在するため、ひび割れが生じやすくなり、路面の雨水がマンホール内に浸入する可能性が大きくなるため、特許文献４及び５に示されるように対策を施していた。
図５にその一例を示すように、調整モルタルの内部にシール材を埋設して、マンホール内への雨水の浸入を阻止していた。
【特許文献１】特許第２６２３４９０号公報
【特許文献２】特許第２６２３４９１号公報
【特許文献３】特許第２６２３４９２号公報
【特許文献４】特開２００２−３６４０１０号公報
【特許文献５】特開平１１−９３１９０号公報
【発明の開示】
【発明が解決しようとする課題】
【０００８】
交通開放後の車両重量によって路盤が十分落ち着いたところで舗装をやり直しするので、マンホール蓋受枠の設置も期間半年程度の仮設置となるわけであるが、車両を安全にマンホール上を通過させるためには、本施工と同等の強度となるように本施工と同様に工事をする必要がある。
【０００９】
仮設置の際に使用したコンクリート製や樹脂製の調整リングと高さ微調整に使用した流動モルタルとが強固に接着されており、撤去時に調整リングが破損してしまうことがあった。
また、鉄製の調整板やレンガ等で高さの微調整をした場合、マンホール蓋受枠と調整リングが点支持になるため、応力集中のためコンクリート製の調整リングが破損することが起こっていた。調整リングを破損することなく取り外すことができても、高さ微調整用のモルタルが付着しており、本設置に再利用するには、付着したモルタルをそぎ落とすケレン作業をおこなわなければならず、手間と時間がかかるため、新品のマンホール蓋受枠を使用することが多く、コストがかかると共に資源の無駄使いとなっていた。
【００１０】
そこで、高さの微調整用のモルタル等が調整リングやマンホール蓋受枠に付着することなく、舗装の本施工の際にマンホール蓋受枠の撤去が簡単かつ迅速におこなえるようにすると共に、調整リングを再利用可能にし、舗装工事の円滑化と施工期間の短縮及び資源の効率的利用を図るために、図３に示す発泡樹脂製などの弾性材リング１を図２に示すように、マンホール蓋受枠６の高さ調整に使用することによって前記の問題を解決し、調整リング４の再使用を容易にする特願２００４−２１７８９２号を提案した。
【００１１】
しかし、前述のように、路面の雨水が舗装のひび割れや、接合部に生じた間隙からマンホール内に浸入する可能性がある。この雨水の浸入を防止するため、前述の調整モルタル部分やリング間に止水手段を施したのでは、手間がかかると共にコスト高となり、調整リングを再使用することが困難である。
そこで、本発明は、弾性材リングや調整リングを設置して高さ調整し、マンホール蓋受枠の周囲に充填材を充填する前に簡単な施工によって止水がなされるようにするものである。
【課題を解決するための手段】
【００１２】
マンホール蓋受枠及び弾性材からなるリングを含む高さ調整部材の外周に止水手段を施すことによって、雨水がマンホール内へ浸入するのを防止するものである。
具体的には、マンホール蓋受枠の外周に止水テープ、膨潤性塗料、剥離性のコーキング材を施すことによって、止水するものである。
【発明を実施するための最良の形態】
【００１３】
実施例
図３に示すマンホールの内径と外径にあわせた弾性材リング１にマンホール蓋受枠の固定用ボルト位置にボルト挿通用の長穴２を形成したものを調整高さに応じて用意する。
必要となる厚さの発泡樹脂リング１０を、図１に示すようにマンホール斜壁３上に設置し、その上に舗装厚に応じてコンクリート製の調整リング４を必要枚数設置する。更にその上にマンホールの蓋受枠６の高さを路面に一致させるため、高さ微調整用の薄い発泡樹脂リング１１を設置し、舗装路面５とマンホール蓋受枠６が同一面として固定する。
【００１４】
そして、マンホール蓋受枠６のフランジ、調整リング４、発泡樹脂リング１０、１１の隙間を止水するため、止水テープ７を巻きつけ、マンホール蓋受枠６の周囲に補修材５１を充填し、転圧して完成する。
発泡樹脂リング１を常に調整リング４の上下面に設置する必要はなく、マンホール蓋受枠６に接する部分に発泡樹脂リングを設置することで、マンホール蓋受枠６の高さ調整をすることができる。
【００１５】
止水には、止水テープの他に、使用後に剥離が容易である変性シリコーンを主成分とする止水用コーキング材を厚さ２〜５ミリ程度、間隙部分に塗布して形成する。変性シリコーンは、剥離性が良好なので、本舗装の際の撤去時に簡単に除去することができ、調整リング４の再利用に支障をきたすことがない。
【００１６】
また、カルボキシメチルセルロース等の電離性吸水ポリマー、多価金属化合物、熱可塑性エラストマーの有機溶剤及び体質顔料とからなる水膨潤性塗料組成物をローラ刷毛などで、高さ調整部材の外周に２ｍｍ程度の厚さに塗布することによって、万一雨水の浸入があっても、膨潤性塗料が膨潤して止水が完全におこなわれ、マンホールに雨水が浸入する恐れがない。この膨潤性塗料は調整リング４と発泡樹脂リング１０、１１の外周に薄く塗布してあるだけであり、セメントモルタルのように強力な接着性がないので、調整リング４に強固に付着して再使用を阻害するものではない。
【００１７】
また、この膨潤性塗料を予めひも状またはテープ状に成形したものは、ある程度の接着性を有しており、簡単に高さ調整部材の外周に巻きつけることができるので、止水作業を簡素化できる。
なお、発泡樹脂リングの表面及び外周に膨潤性塗料を薄く塗布したり、薄いゴムの止水層を設けたものを用いてもよい。
【産業上の利用可能性】
【００１８】
マンホール蓋受枠の高さ調整に弾性材からなるリングを使用することによって本舗装の際の撤去を容易であると共に、雨水がマンホール内に浸入するのを防止することができ、また、高さ微調整用のモルタルを使用しないのでマンホール蓋受枠のフランジや調整リングにモルタルが付着しておらず、再利用することができ、資源の効率的利用が図れる。
【図面の簡単な説明】
【００１９】
【図１】本発明のマンホールの断面図。
【図２】弾性材リングを使用したマンホールの断面図。
【図３】弾性材リングの斜視図。
【図４】従来のマンホールの断面図。
【図５】止水手段を施した従来のマンホールの断面図。
【符号の説明】
【００２０】
１    弾性材リング（発泡樹脂リング）
１０、１１  発泡樹脂リング
３    マンホール斜壁
４    調整リング
５    路面
５１  補修材
６    マンホール蓋受枠
７    止水手段
【図１】
2006112075.tif 000003
【図２】
2006112075.tif 000004
【図３】
2006112075.tif 000005
【図４】
2006112075.tif 000006
【図５】
2006112075.tif 000007